(57)【要約】【課題】少なくとも１つの飛ばされたアナウンスメントの本質をユーザに知らせる。【解決手段】本発明は、オーディオビジュアル情報のストリームに埋設され、表示装置に示されるべき、第１のアナウンスメント及び第２のアナウンスメントが互いに同等である第２のアナウンスメントをユーザが妨げるとき、ユーザに第１のアナウンスメントを見させる方法に関する。このアナウンスメントは、コマーシャルでもよい。この妨げは、アナウンスメントをスキップするか、別のチャンネルに切り換えるかによって達成される。本発明は更に、ユーザがアナウンスメントを見たかどうか、又はユーザがアナウンスメントをスキップしたかを検出することが可能な装置にも関する。この装置は、スキップされたアナウンスメントに同等である第２のアナウンスメントを表示することも可能である。【選択図】図１
2008236786.tif 000002
【特許請求の範囲】
【請求項１】
オーディオビジュアル情報のストリームに埋設される第１のアナウンスメントが表示スクリーンに表示されるのを妨げられる場合、前記第１のアナウンスメントと同等である第２のアナウンスメントを表示する方法において、前記第１のアナウンスメントが埋設されていない前記オーディオビジュアル情報のストリームの第１の部分を表示する間、前記第２のアナウンスメントが表示され、前記第１の部分は、前記第１のアナウンスメントが埋設される前記オーディオビジュアル情報のストリームの第２の部分の後に時間の経過順に表示されることを特徴とする方法。
【請求項２】
前記第２のアナウンスメントは、前記表示スクリーンの第１の部分に表示され、前記オーディオビジュアル情報のストリームの前記第１の部分は、前記表示スクリーンの第２の部分に表示されることを特徴とする請求項１に記載の方法。
【請求項３】
前記表示スクリーンの前記第１の部分と前記表示スクリーンの前記第２の部分とは相補的であることを特徴とする請求項２に記載の方法。
【請求項４】
前記表示スクリーンの前記第１の部分は、前記表示スクリーンの縁に沿ったバーであることを特徴とする請求項２に記載の方法。
【請求項５】
前記第２のアナウンスメントは、前記表示スクリーンの少なくとも一部の透明な背景に表示されることを特徴とする請求項１に記載の方法。
【請求項６】
前記第２のアナウンスメントは、前記オーディオビジュアル情報のストリームに結合されるデータストリームに埋設されることを特徴とする請求項１に記載の方法。
【請求項７】
前記データストリームは、ＭＨＰ(Multimedia Home Platform)規格に従って適用されることを特徴とする請求項６に記載の方法。
【請求項８】
オーディオビジュアル情報のストリームに埋設される第１のアナウンスメントが表示スクリーンに表示されるのを妨げられたかを検出する手段を有する装置であって、前記装置は更に、前記第１のアナウンスメントが表示されるのを妨げられたことを検出する場合、前記第１のアナウンスメントと同等である第２のアナウンスメントを表示スクリーンに表示する手段を有する装置において、前記装置は更に、前記第１のアナウンスメントが埋設されていない前記オーディオビジュアル情報のストリームの第１の部分を表示する間、前記第２のアナウンスメントを表示し、前記第１の部分は、前記第１のアナウンスメントが埋設される前記オーディオビジュアル情報のストリームの第２の部分の後に時間の経過順に表示されることを特徴とする装置。
【請求項９】
前記装置は更に、前記第２のアナウンスメントが埋設されるデータストリームを入力することを特徴とする請求項８に記載の装置。
【請求項１０】
前記装置は更に、前記第２のアナウンスメントが埋設され、前記ＭＨＰ規格に従って適用されるデータストリームを入力することを特徴とする請求項９に記載の装置。
【発明の詳細な説明】
【技術分野】
【０００１】
本発明は、オーディオビジュアル情報のストリームに埋設される第１のアナウンスメントが表示スクリーンに表示されるのを妨げられる場合、この第１のアナウンスメントと同等である第２のアナウンスメントを表示する方法に関する。
【０００２】
本発明は、オーディオビジュアル情報のストリームに埋設される第１のアナウンスメントが表示スクリーンに表示されるのを妨げられているかを検出する手段を有する装置にも関し、この装置は更に、第１のアナウンスメントが表示されるのを妨げられたことを検出した場合、この第１のアナウンスメントと同等である第２のアナウンスメントを表示スクリーンに表示する手段を有する。
【背景技術】
【０００３】
このような発明の実施例は、国際公開番号WO00/01149から既知である。
【０００４】
様々な短いアナウンスメントは、多くのコンテンツプロバイダにより送信されるようなオーディオビジュアル情報と一緒にしばしば送信される。例えば映画、スポーツ又はドラマのようなオリジナルのコンテンツは、１つ以上のコマーシャル又は異なる性質の短いアナウンスメントによってしばしば中断される。ユーザは、しばしばこれを邪魔な要素と感じている。それゆえに、ユーザはこのようなアナウンスメントが表示されるのを妨げるために多くのことを行ってきた。米国特許公報US5,692,093は、記録されたコンテンツを再生するとき、コマーシャルが表示されるのを妨げる装置を記載している。これは、コマーシャルが表示される瞬間にこれら記録されるコンテンツのテープを早送りで巻き上げることによって達成される。
【発明の開示】
【発明が解決しようとする課題】
【０００５】
しかしながら、コンテンツプロバイダの収入にとって、コンテンツプロバイダは、このコンテンツプロバイダのサービスを受けるユーザにコマーシャルを表示することに、完全にではないが、大きく依存する。結果として、コマーシャルができるだけ頻繁にユーザに表示されることを保証することがコンテンツプロバイダにとって非常に重要である。
【０００６】
国際公開番号WO00/01149は、コマーシャルを再生しているユーザが速い手法でこれらのコマーシャルをざっと目を通すときに他のコマーシャルが表示されることを提案している。この他のコマーシャルは、１つ以上のスキップされたコマーシャルと同等であるコンテンツを持つ。コンテンツは段々と、例えばハードディスクシステムのような情報がランダムにアクセスされるメディアに記憶されるので、テープを巻き上げたり、又はコマーシャルのような所与のコンテンツを更に早く目を通すことが可能である。これは、コマーシャルのアナウンスメントがこのコンテンツの表示中にスキップされるとき、他の同等なアナウンスメントを表示するための時間が残っていないことを暗示している。
【課題を解決するための手段】
【０００７】
本発明の目的は、少なくとも１つの飛ばされたアナウンスメントの本質をユーザに知らせることである。本目的は、第１のアナウンスメントが埋設されていないオーディオビジュアル情報のストリームの第１の部分を表示する間、第２のアナウンスメントが表示され、前記第１の部分は、前記第１のアナウンスメントが埋設されるオーディオビジュアル情報のストリームの第２の部分の後に時間の経過順に表示されることを特徴とする本発明による方法によって達成される
【０００８】
この方法は、ユーザがコンテンツの残りを同様に表示したい場合、ユーザは表示スクリーンに前記アナウンスメントを表示せざるをえないという利点を有する。
【０００９】
本発明による方法の実施例は、第２のアナウンスメントが表示スクリーンの第１の部分に表示され、オーディオビジュアル情報のストリームの第１の部分が前記表示スクリーンの第２の部分に表示されることを特徴とする。
【００１０】
この実施例は、ユーザが表示されたオーディオビジュアル情報を見るとき、アナウンスメントによって妨害されないという利点を有する。
【００１１】
本発明による方法の他の実施例は、第２のアナウンスメントが表示スクリーンの少なくとも一部の透明な背景に表示されることを特徴とする。
【００１２】
この実施例は、ユーザが表示されたオーディオビジュアル情報を見るとき、アナウンスメントによって妨害され、それゆえに、ユーザの注意をこのアナウンスメントに向けざるをえないという利点を有する。
【００１３】
本発明による装置は、この装置が更に、第１のアナウンスメントが埋設されていないオーディオビジュアル情報のストリームの第１の部分を表示する間、第２のアナウンスメントを表示し、前記第１の部分は、第１のアナウンスメントが埋設されるオーディオビジュアル情報のストリームの第２の部分の後に時間の経過順に表示されることを特徴とする。
【００１４】
この装置は、ユーザがコンテンツの残りを同様に表示させたい場合、表示スクリーンに前記アナウンスメントを表示せざるをえないという利点を有する。
【発明を実施するための最良の形態】
【００１５】
本発明のこれら及び他の特徴は、以下に記載される実施例から明らかであり、これら実施例を参照して説明される。
【００１６】
図１は、システム１００を本発明の実施例として示す。このシステムは、処理ユニット１０２、第１のメモリ１０３、第２のメモリ１０４及び入力チャンネル１３０を含む装置１０１を有する。この装置１０１は、好ましくはデジタルビデオレコーダであるが、代わりにパーソナルコンピュータのような多くの用途に適した装置でもよい。第１のメモリ１０３は、好ましくはハードディスクドライブ、又は大きな記憶容量を持つ他のメモリである。第２のメモリ１０４は、好ましくはＲＯＭ、ＥＥＰＲＯＭ、ＳＲＡＭ又は素早いアクセスが可能な他のメモリである。他の実施例において、記載される実施例における第２のメモリ１０４に記憶される情報は、第１のメモリ１０３に記憶されることも可能である。更に、システム１０１は、装置１０１を制御する操作パネル１１０及び表示スクリーン１２１を備える表示装置１２０を有する。
【００１７】
装置１０１は、入力チャンネル１３０を介してこの装置１０１に与えられるオーディオビジュアル情報を第１メモリ１０３に記憶する。この処理は、処理ユニット１０２によって制御される。この情報は、ユーザの命令によって記憶されてもよい。このために、ユーザは、操作パネル１１０を用いて、入力チャンネル１３０を介して与えられるオーディオビジュアル情報を第１メモリ１０３に記憶するように装置１０１に指示する。この装置１０１は、既定の瞬間にオーディオビジュアル情報を第１のメモリ１０３に記憶するようにプログラミングされてもよい。
【００１８】
前記表示装置は、接続部１２５を介して処理ユニット１０２に接続される。この処理ユニット１０２は、オーディオビジュアル情報が表示装置１２０の表示スクリーン１２１に表示されることができるように、接続部１２５を介して表示装置１２０にこのオーディオビジュアル情報を伝える。前記装置１０１は、入力チャンネル１３０を介してオーディオビジュアル情報を入力することができる、又はこの情報が第１メモリ１０３に記憶されてもよい。
【００１９】
装置１０１内において、処理ユニット１０２は更に、オーディオビジュアル情報が表示装置に表示される前、又はオーディオビジュアル情報のストリームが第１メモリ１０３に記憶される前に、入力チャンネル１３０を介して入ってくるオーディオビジュアル情報のストリームを処理する。本発明の他の実施例において、第１メモリ１０３に記憶されるオーディオビジュアル情報のストリームは、この情報が表示装置１２０の表示スクリーン１２１に表示される前に、処理ユニット１０２によって処理される。
【００２０】
オーディオビジュアル情報は、第２メモリ１０４に記憶される制御情報に基づいて処理される。他の情報が装置１０１の製造業者によって第２メモリに記憶されてもよい。しかしながら、オーディオビジュアル情報の面倒を見るコンテンツプロバイダが代わりに、入力チャンネル１３０を介して、装置１０１によって入力されるオーディオビジュアル情報と一緒に他の情報及びアプリケーションを送ってもよい。これは、マルチメディアホームプラットフォーム（ＭＨＰ）規格内において可能である。他の情報が入力チャンネル１３０を介して入力した後、この情報は、第１メモリ１０３又は第２メモリ１０４に記憶される。
【００２１】
図２Ａは、オーディオビジュアル情報の第１のストリーム２１０と、付随する情報のストリーム２２０とを有する情報のストリーム２００を示す。これら２つの情報のストリームは、互いに同期化されている。本発明の説明される実施例において、オーディオビジュアル情報の第１のストリーム２１０は、コマーシャルにより中断される。そのコマーシャルが天気、次の番組又はニュースに関するアナウンスメントでも勿論よいが、これが本発明の範囲から外れることはない。オーディオビジュアル情報の第１のストリーム２１０の第１の部分２１１は、映画の第１の部分を表し、第２の部分２１２はコマーシャルを表し、及び第３の部分２１３は映画の第２の部分を表す。コマーシャルは、図２Ａにおいてｔ１で示される瞬間に始まる。コマーシャルは、図２Ｂにおいてｔ２で示される瞬間まで続く。このコマーシャルは、付随する情報のストリーム２２０に情報を埋設することによりマーキングされてもよく、この情報は、オーディオビジュアル情報の第１のストリームがコマーシャルを含む瞬間に変化する。例えば、付随する情報のストリーム２２０の第１の部分２２１は、オーディオビジュアル情報のストリーム２１０の対応部分２１１が映画の第１の部分を含むことを示す情報を有する。付随する情報のストリーム２２０の第２の部分２２２は、オーディオビジュアル情報のストリーム２１０の対応部分２１２がコマーシャルを含むことを示す情報を有する。付随する情報のストリーム２２０の第３の部分２２３は、オーディオビジュアル情報のストリーム２１０の対応部分２１３が映画の第２の部分を含むことを示す情報を有する。情報のストリーム２００がＭＰＥＧ規格によるストリームである場合、付随する情報のストリームは、ＭＰＥＧ情報を備える専用のストリームに埋設される。これ自体は知られている。
【００２２】
オーディオビジュアル情報のストリームが他のオーディオビジュアル情報のストリームに付随することができない場合、オーディオビジュアル情報のストリームにおいてコマーシャルをマーキングする別の方法を選択することが可能である。図２Ｂは、本発明の他の実施例を示す。図２Ｂは、オーディオビジュアル情報のストリーム２５０を示す。このストリーム２５０の第１の部分２５１は映画の第１の部分を表し、第２の部分２５２はコマーシャルを表し、第３の部分２５３は映画の第２の部分を示す。コマーシャルは、オーディオビジュアル情報のストリーム２５０の第２の部分２５２に第１のウォーターマークを設けることによって、オーディオビジュアル情報のストリーム２５０にマーキングされる。これは、図２Ｂにおいて、オーディオビジュアル情報のストリーム２５０の第２の部分２５２に垂線を用いて示される。
【００２３】
その上、映画を含むオーディオビジュアル情報のストリーム２５０の一部は、第２のウォーターマークを設けることができる。これは、第１の部分２５１及び第３の部分２５３において斜線を用いて図２Ｂに示される。オーディオビジュアル情報のストリームのコンテンツを表示するためのウォーターマークを設けることは、マーキングするための余分な情報のストリームを必要としないという利点を有する。オーディオビジュアル情報のストリームのコンテンツを表示するためのウォーターマークを設けることは、この形式のマーキングが通常、同期化された追加の情報のストリームよりも取り除くのが難しいという他の利点を有する。オーディオビジュアル情報のストリームをウォーターマーキングする方法自体は知られている。
【００２４】
オーディオビジュアル情報のストリーム２１０におけるコマーシャルがマーキングされるので、これらコマーシャルは、本発明の説明される実施例における装置１０１（図１）によって認識されることができる。この装置１０１が入力チャンネル１３０を介してオーディオビジュアル情報のストリーム２１０を入力するとき、このストリームは、コマーシャル２１２のマーキング２２２を認識する処理ユニット１０２を通る。オーディオビジュアル情報のストリーム２１０が第１のメモリ１０３に記憶される場合、本発明の説明される実施例におけるコマーシャルのマーキングは、第１のメモリ１０３にも記憶される。
【００２５】
ユーザが操作パネル１１０を用いてシステム１００に表示装置１２０の表示スクリーン１２１にオーディオビジュアル情報のストリーム２１０を表示するように命令したとき、処理ユニット１０２は、例えばウォーターマークのようなオーディオビジュアル情報のストリーム２１０におけるマーキング、又は付随する情報のストリーム２２０におけるマーキングを介して、例えば映画又はコマーシャルが表示されているかを検出する。
【００２６】
このようにして、処理ユニット１０２は、全部のコマーシャルが表示されたか、全部のコマーシャルが加速された手法で表示されたか、又は全部のコマーシャルがオーディオビジュアル情報のストリームの表示においてスキップされたために、全く表示されなかったかを検出することができる。コマーシャルは、装置１０３へ与えられる早送り命令を使用する既知の方法を用いて加速された手法で表示されてもよい。オーディオビジュアル情報が例えばハードディスクドライブのようなＲＡＭに記憶されるとき、コマーシャルがスキップされることが可能である。
【００２７】
ユーザは、コマーシャルが表示されるとき、他のチャンネルに切り換えてもよい。これも処理ユニット１０２により検出されることができる。
【００２８】
本発明の他の実施例において、第１のメモリ１０３に記憶されるこのオーディオビジュアル情報のストリームが表示装置１２０の表示スクリーン１２１に表示されるとき、オーディオビジュアル情報のストリームにおけるコマーシャルのマーキングを介して、装置１０１がコマーシャルを表示しないことが可能である。これは、操作パネル１１０を使用して与えられる命令を介して、その情報がコマーシャルとしてマーキングされるオーディオビジュアル情報の一部を、表示中にこれらをスキップすることによって、表示しないように装置１０１に指示することによって可能である。
【００２９】
その上、オーディオビジュアル情報のストリームにおけるコマーシャルを検出し、これらコマーシャルが表示されるのを妨げる幾つかの方法が知られている。コマーシャルが表示されるのを妨げる方法は米国特許番号US5,692,093に記載されている。ユーザは、コマーシャルが表示装置１２０の表示スクリーン１２１に表示されるのを妨げられるようにシステム１００に指示してもよい。
【００３０】
本発明の実施例において、装置１０１がコマーシャルの表示をスキップすることを指示されたと検出されるとき、他のコマーシャルが表示装置１２０の表示スクリーン１２１に表示される。ユーザがシステム１００に他のコマーシャルの表示をスキップするように指示することを妨げるために、これら他のコマーシャルは、オーディオビジュアル情報のストリームの実際のコンテンツと一緒に表示される。図３Ａ、３Ｂ及び３Ｃに実施例が示されている。ユーザは特に映画を見たく、コマーシャルに何の疑いを持たない。
【００３１】
図３Ａは、オーディオビジュアル情報のストリームを表示する表示装置の表示スクリーン１２１（図１）を示す。更に、コマーシャルがテキスト３０１の形式で表示される。このテキスト３０１は、それ自身は既知である技術によって、オーディオビジュアル情報のストリームの映像部上に表示される。テキスト３０１は、表示スクリーン１２１の全表面エリアに表示されてよいが、表示スクリーン１２１の僅かな部分に表示されてもよい。
【００３２】
図３Ｂは、オーディオビジュアル情報のストリームを表示する表示装置１２０の表示スクリーン１２１（図１）を示す。更に、コマーシャルからなるテキスト３１１を含むバー３１２が表示スクリーン１２１の上の部分に表示される。このテキスト３１１は、本発明の説明される実施例において静止して表示されているが、それ自身は既知であるチッカーバー(ticker bar)のように、テキスト３１１を動的に表示することも代替的に可能である。
【００３３】
図３Ｃは、オーディオビジュアル情報のストリームを表示する表示装置１２０の表示スクリーン１２１（図１）を示す。更に、テキスト形式のコマーシャル３２１は、表示スクリーン１２１の半分に表示される。表示スクリーンの半分にテキストを表示し、もう半分にオーディオビジュアル情報のストリームを表示する方法自身は既知であり、例えばロイヤルフィリップスエレクトロニクスＮ．Ｖ．のマッチラインテレビジョン(Matchline television)に使用されている。
【００３４】
他のコマーシャルは、前述された実施例においてテキストとして表される。他の実施例において、アナウンスメントは、画像、象形文字又はこれらの組合せの形式で、テキストと結合して表される。更に他の実施例において、他のアナウンスメントは、例えばMacroMedia Flash形式のような、オーディオビジュアルアニメーションの形式で表される。
【００３５】
コマーシャルが表示装置１２０（図１）の表示スクリーン１２１（図１）に表示されるか、又はユーザがこれを妨げたかを検出するために、幾つかのアプリケーションが使用される。例えば、これらアプリケーションは、入力チャンネル１３０（図１）を介して装置１０１（図１）により入力されるオーディオビジュアル情報のストリームと一緒に送信されることができる。本発明の実施例において、オーディオビジュアル情報は、ＤＶＢ規格に従って送信され、これらのアプリケーションは、ＭＨＰ規格に従ってその情報と一緒に送信される。本発明の他の実施例において、前記アプリケーションは、本実施例において不揮発性メモリである第２のメモリ１４０（図１）に記憶される。
【００３６】
更に、図３に示される他のコマーシャルは、ＭＨＰ規格に従ってオーディオビジュアル情報のストリームと一緒に送信されてもよい。これは、そのとき最も話題のコマーシャルが常にユーザに示される利点を有する。他のコマーシャルは、第１のコマーシャルが表示されるのを妨げられる瞬間に装置１０１（図１）に送信されることができる。本発明の他の実施例において、他のコマーシャルは、前の段階で既に装置１０１（図１）に送信され、第２のメモリ１０４（図１）に記憶されている。
【００３７】
現在のＭＨＰ規格は、ユーザが別のチャンネルを選択するとき、アプリケーションが中断又は遮断されるという問題を抱えている。例えば、ユーザがコマーシャルを見た又は見ていないかを検出しなければならないアプリケーションは、ユーザが別のチャンネルを選択したために、遮断されてしまう。それゆえに、ユーザは、他のチャンネルに送信される情報のオーディオビジュアルストリームと一緒に送信される新しいアプリケーションを開始してもよい。本発明がＭＨＰ規格を用いて実施され、コンテンツプロバイダが送信されたコマーシャルの最適な範囲だと確認する場合、異なるコンテンツプロバイダ間の協力が重要である。このようにして、ユーザが他のチャンネルに切り換えるとき、チャンネルと一緒に送信されるアプリケーションが遮断されないように構成される。
【００３８】
以上のことから、本発明は、オーディオビジュアル情報のストリームに埋設され、表示装置に示されるべき、第１のアナウンスメント及び第２のアナウンスメントが互いに同等である第２のアナウンスメントをユーザが妨げるとき、ユーザに第１のアナウンスメントを見させる方法に関する。このアナウンスメントはコマーシャルでもよい。この妨げは、アナウンスメントをスキップするか、別のチャンネルに切り換えるかによって達成される。本発明は更に、ユーザがアナウンスメントを見たかどうか、又はユーザがアナウンスメントをスキップしたかを検出することが可能な装置にも関する。この装置は、スキップされたアナウンスメントに同等である第２のアナウンスメントを表示することも可能である。
【図面の簡単な説明】
【００３９】
【図１】本発明による装置の実施例を示す。
【図２Ａ】コマーシャルが埋設されるオーディオビジュアル情報の２つのストリームを示す。
【図２Ｂ】コマーシャルが埋設されるオーディオビジュアル情報の２つのストリームを示す。
【図３Ａ】本発明による方法の実施例を示す。
【図３Ｂ】本発明による方法の実施例を示す。
【図３Ｃ】本発明による方法の実施例を示す。
【図１】
2008236786.tif 000003
【図２Ａ】
2008236786.tif 000004
【図２Ｂ】
2008236786.tif 000005
【図３Ａ】
2008236786.tif 000006
【図３Ｂ】
2008236786.tif 000007
【図３Ｃ】
2008236786.tif 000008
【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
オーディオビジュアル情報のストリームに埋設される第１のアナウンスメントが表示スクリーンに表示されるのを妨げられる場合、前記第１のアナウンスメントと同等である第２のアナウンスメントを表示する方法であって、前記第１のアナウンスメントが埋設されていない前記オーディオビジュアル情報のストリームの第１の部分を表示する間にのみ、前記第２のアナウンスメントが表示され、前記第１の部分は、前記第１のアナウンスメントが埋設される前記オーディオビジュアル情報のストリームの第２の部分の後に時間の経過順に表示される、方法。
【請求項２】
請求項１に記載の方法であって、前記第２のアナウンスメントは、前記表示スクリーンの第１の部分に表示され、前記オーディオビジュアル情報のストリームの前記第１の部分は、前記表示スクリーンの第２の部分に表示される、方法。
【請求項３】
請求項２に記載の方法であって、前記表示スクリーンの前記第１の部分と前記表示スクリーンの前記第２の部分とは、相補的である、方法。
【請求項４】
請求項２に記載の方法であって、前記表示スクリーンの前記第１の部分は、前記表示スクリーンの縁に沿ったバーである、方法。
【請求項５】
請求項１に記載の方法であって、前記第２のアナウンスメントは、前記表示スクリーンの少なくとも一部の透明な背景に表示される、方法。
【請求項６】
請求項１に記載の方法であって、前記第２のアナウンスメントは、前記オーディオビジュアル情報のストリームに結合される、方法。
【請求項７】
請求項６に記載の方法であって、前記データストリームは、ＭＨＰ（Multimedia Home Platform）規格に従って適合させられる、方法。
【請求項８】
オーディオビジュアル情報のストリームに埋設される第１のアナウンスメントが表示スクリーンに表示されるのを妨げられたかどうかを検出する手段を有し、さらに前記第１のアナウンスメントが表示されるのを妨げられたことを検出する場合、前記第１のアナウンスメントと同等である第２のアナウンスメントを表示スクリーンに表示する手段を有する装置であって、当該装置は更に、前記第１のアナウンスメントが埋設されていない前記オーディオビジュアル情報のストリームの第１の部分を表示する間にのみ、前記第２のアナウンスメントを表示するよう適合させられ、前記第１の部分は、前記第１のアナウンスメントが埋設される前記オーディオビジュアル情報のストリームの第２の部分の後に時間の経過順に表示される、装置。
【請求項９】
請求項８に記載の装置であって、前記第２のアナウンスメントが埋設されるデータストリームを受信するようさらに適合させられる装置。
【請求項１０】
請求項９に記載の装置であって、前記第２のアナウンスメントが埋設されるデータストリームを受信するようにさらに適合させられ、ＭＨＰ規格に従って適合させられる装置。
【手続補正２】
【補正対象書類名】明細書
【補正対象項目名】００１６
【補正方法】変更
【補正の内容】
【００１６】
図１は、システム１００を本発明の実施例として示す。このシステムは、処理ユニット１０２、第１のメモリ１０３、第２のメモリ１０４及び入力チャンネル１３０を含む装置１０１を有する。この装置１０１は、好ましくはデジタルビデオレコーダであるが、代わりにパーソナルコンピュータのような多くの用途に適した装置でもよい。第１のメモリ１０３は、好ましくはハードディスクドライブ、又は大きな記憶容量を持つ他のメモリである。第２のメモリ１０４は、好ましくはＲＯＭ、ＥＥＰＲＯＭ、ＳＲＡＭ又は素早いアクセスが可能な他のメモリである。他の実施例において、記載される実施例における第２のメモリ１０４に記憶される情報は、第１のメモリ１０３に記憶されることも可能である。更に、システム１００は、装置１０１を制御する操作パネル１１０及び表示スクリーン１２１を備える表示装置１２０を有する。
【手続補正３】
【補正対象書類名】明細書
【補正対象項目名】００２６
【補正方法】変更
【補正の内容】
【００２６】
このようにして、処理ユニット１０２は、全部のコマーシャルが表示されたか、全部のコマーシャルが加速された手法で表示されたか、又は全部のコマーシャルがオーディオビジュアル情報のストリームの表示においてスキップされたために、全く表示されなかったかを検出することができる。コマーシャルは、装置１０１へ与えられる早送り命令を使用する既知の方法を用いて加速された手法で表示されてもよい。オーディオビジュアル情報が例えばハードディスクドライブのようなＲＡＭに記憶されるとき、コマーシャルがスキップされることが可能である。
【手続補正４】
【補正対象書類名】明細書
【補正対象項目名】００３５
【補正方法】変更
【補正の内容】
【００３５】
コマーシャルが表示装置１２０（図１）の表示スクリーン１２１（図１）に表示されるか、又はユーザがこれを妨げたかを検出するために、幾つかのアプリケーションが使用される。例えば、これらアプリケーションは、入力チャンネル１３０（図１）を介して装置１０１（図１）により入力されるオーディオビジュアル情報のストリームと一緒に送信されることができる。本発明の実施例において、オーディオビジュアル情報は、ＤＶＢ規格に従って送信され、これらのアプリケーションは、ＭＨＰ規格に従ってその情報と一緒に送信される。本発明の他の実施例において、前記アプリケーションは、本実施例において不揮発性メモリである第２のメモリ１０４（図１）に記憶される。
【外国語明細書】
2008236786000001.pdf